(57)【特許請求の範囲】
【請求項１】
腹壁１２ａと表裏側壁１２ｂ、１２ｄと背壁１２ｃを備えた陳列ケース１２と、前記陳列ケース１２の背壁１２ｃに重合される中央部１３ｃと表裏側壁１２ｂ、１２ｄに重合される翼部１３ｂ、１３ｄとを備えた１枚の情報シート１３と、前記情報シート１３の外面を被覆すると共に該情報シート１３を陳列ケース１２に重合した状態で保持するカバーシート１４とから成る構成において、
前記カバーシート１４は、前記陳列ケース１２の腹壁１２ａに重合され且つ着脱自在に接着される接着手段１５を設けた基端シート部１６と、前記陳列ケース１２の表壁１２ｂに重合される表シート部１７と、前記陳列ケース１２の背壁１２ｃに重合される背シート部１８と、前記陳列ケース１２の裏壁１２ｄに重合される裏シート部１９と、前記陳列ケース１２の腹壁１２ａ又は前記基端シート部１６に重合され且つ着脱自在に接着される接着手段２１を設けた自由端シート部２０とを一連に備えた１枚の透明又は半透明のシートから成り、
前記カバーシート１４における表シート部１７の内側に、該表シート部１７に重合された補助シート２２を介して袋部２３を設け、基端シート部１６と表シート部１７の境界線Ｐ３に近傍する位置に袋部２３の底部２４を形成すると共に、背シート部１８に向けて袋部２３の開口部２５を形成して成ることを特徴とする陳列ケースにおける情報シート保持用カバー装置。
【発明の詳細な説明】
【０００１】
【発明の属する技術分野】
本発明は、例えばレンタルショップにおいて、ビデオカセット或いはＤＶＤ又はＣＤ等のディスクのようなソフト記録媒体を収納した状態で陳列されるケースや、棚等に列設され展示された商品のジャンルないしカテゴリー等を示すインデックス表示を行うケースにおいて、種々の情報を印刷表示したジャケットシート等の情報表示シートを陳列ケースの外面に重合した状態で保持せしめるためのカバー装置に関する。
【０００２】
【従来の技術】
図９（Ａ）に示すように、従来、例えばレンタルショップにおいてレンタルに供されるソフト記録媒体１（図例では保護ケースに収納されている）は、上部を開口した陳列ケース２に挿脱自在に挿入することにより収納され、該陳列ケース２を棚に並べられ、陳列に供されている。陳列ケース２は、腹壁２ａと表側壁２ｂと背壁２ｃと裏側壁２ｄを備えた矩形状の箱体を構成する。この際、陳列ケース２の外面には、ソフトのタイトルや内容等を示す文字や写真等の情報を印刷表示したジャケットシートと称される情報シート３が添設され、顧客に情報を提供する。情報シート３は、陳列ケース２の背壁２ｃに重合される中央部と表裏側壁２ｂ、２ｄに重合される翼部とを備えた１枚の紙により構成されている。
【０００３】
陳列ケース２の外面に情報シート３を重合した状態で保持するため、該ケース２の外面には透明の合成樹脂シートから成るカバーシート４が設けられている。カバーシート４の両端縁部はそれぞれ陳列ケース２の表裏側壁２ｂ、２ｄに対して溶着線５により固着されており、従って、取外し不能である。
【０００４】
図９（Ｂ）に示すように、陳列ケース２は、背壁２ｃの両側縁をヒンジとして表裏側壁２ｂ、２ｄを開閉自在とする箱体を構成している。表裏側壁２ｂ、２ｄを開放したときカバーシート４が弛み、該カバーシート４と陳列ケース２の間に隙間Ｓを形成するので、該隙間Ｓを介して情報シート３を挿脱せしめることができ、これにより、情報シート３の交換を可能にする。
【０００５】
【発明が解決しようとする課題】
陳列ケース２は、レンタルショップ等において繰返し使用され、収納すべきソフト記録媒体１が変わる毎に、情報シート３を交換せしめられる。そして店内に陳列されている間、顧客が陳列ケース２を手に取り、情報シート３に表示された情報を視認するため、時間の経過に伴いカバーシート４が次第に損傷する。
【０００６】
カバーシート４は、表面に形成される細かな傷により透明度を劣化するので、損傷が進行すると外観が汚くなるばかりでなく、情報シート３に表示された情報を視認し難くなる。
【０００７】
ところが、カバーシート４は、上述のように、陳列ケース２に対して一体に固着されており、交換不能とされている。従って、レンタルショップ等においては、カバーシート４が損傷すると、陳列ケース２それ自体は何ら損傷していなくても、カバーシートと陳列ケースの全体を廃棄し、新たなカバーシート付き陳列ケースの購入を余儀なくされている。このため、廃棄物処理の問題と、レンタルショップ等におけるランニングコストの問題を提起している。
【０００８】
この点に関して、陳列ケースに対してカバーシートを交換自在となるように構成するため、例えば、特開２０００−２２９６８８号や特開２００２−４６７７１号等が提案されている。然しながら、このような従来技術は、カバーシートの交換を可能とするために、陳列ケースに溝や切欠等の特別な技術的構成を設ける必要がある。即ち、陳列ケースに汎用性がないという問題がある。
【０００９】
【課題を解決するための手段】
本発明は上記問題を解決した陳列ケースにおける情報シート保持用カバー装置を提供するものである。そこで、発明の手段として構成したところは、腹壁と表裏側壁と背壁を備えた陳列ケースと、前記陳列ケースの背壁に重合される中央部と表裏側壁に重合される翼部とを備えた１枚の情報シートと、前記情報シートの外面を被覆すると共に該情報シートを陳列ケースに重合した状態で保持するカバーシートとから成る構成において、前記カバーシートは、前記陳列ケースの腹壁に重合され且つ着脱自在に接着される接着手段を設けた基端シート部と、前記陳列ケースの表壁に重合される表シート部と、前記陳列ケースの背壁に重合される背シート部と、前記陳列ケースの裏壁に重合される裏シート部と、前記陳列ケースの腹壁又は前記基端シート部に重合され且つ着脱自在に接着される接着手段を設けた自由端シート部とを一連に備えた１枚の透明又は半透明のシートから成り、前記カバーシートにおける表シート部の内側に、該表シート部に重合された補助シートを介して袋部を設け、基端シート部と表シート部の境界線に近傍する位置に袋部の底部を形成すると共に、背シート部に向けて袋部の開口部を形成して成る点にある。
【００１０】
【発明の実施の形態】
以下図面に基づいて本発明の好ましい実施形態を詳述する。
【００１１】
本発明のカバーシートが適用される陳列ケース１２は、図９に基づいて説明した従来技術の陳列ケース２と同様の構成であり、図４ないし図７に示すように、腹壁１２ａと表側壁１２ｂと背壁１２ｃと裏側壁１２ｄを備えた矩形状の箱体を構成している。従って、上述した従来技術におけるカバーシート４を除去した後の陳列ケース２と実質的に相違せず、後述するように、本発明に係るカバーシート１４を着脱自在（交換自在）となるように構成するに際して、陳列ケース１２には何ら特別な技術的構成を設ける必要はない。尚、図例の場合、陳列ケース１２は、上述した従来技術と同様に、１背壁２ｃの両側縁をヒンジとして表裏側壁１２ｂ、１２ｄを開閉自在に構成しているが、開閉不能な構成としても良い。
【００１２】
また、ジャケットシートとしての情報シート１３は、メーカーと呼ばれているソフト記録媒体の販売者により提供されるものであるから、従来技術に関して上述したものと同様の構成であり、図５に示すように、陳列ケース１２の背壁１２ｃに重合される中央部１３ｃと表裏側壁１２ｂ、１２ｄに重合される翼部１３ｂ、１３ｄとを備えた１枚の紙又は合成紙等のシートにより構成されており、中央部１３ｃには背側表示１０ｃ、表側の翼部１３ｂには表側表示１０ｂ、裏側の翼部１３ｄには裏側表示１０ｄを印刷等により表示せしめている。
【００１３】
（カバーシートの第１実施形態）
図１に示すように、カバーシート１４は、前記陳列ケース１２の腹壁１２ａに重合され且つ着脱自在に接着される両面接着テープ等の接着手段１５を設けた基端シート部１６と、前記陳列ケース１２の表壁１２ｂに重合される表シート部１７と、前記陳列ケース１２の背壁１２ｃに重合される背シート部１８と、前記陳列ケース１２の裏壁１２ｄに重合される裏シート部１９と、前記陳列ケース１２の腹壁１２ａ又は基端シート部１６に重合され且つ着脱自在に接着される両面接着テープ等の接着手段２１を設けた自由端シート部２０とを一連に備えた１枚のシートないしフィルムから構成されており、合成樹脂により透明又は半透明に形成されている。尚、接着手段１５、２１は、剥離自在な離型テープにより被覆されている。
【００１４】
前記表シート部１７は、内側に、該表シート部１７に重合された補助シート２２を介して袋部２３を設けており、基端シート部１６と表シート部１７の境界線の近傍に位置して該袋部２３の底部２４を形成すると共に、背シート部１８に向けて該袋部２３の開口部２５を開口せしめている。図示実施形態において、補助シート２２は、透明又は不透明の合成樹脂製のシートないしフィルムにより構成されており、溶着線２４ａにより前記底部２４を形成し、表シート部１７の上下縁に沿う溶断溶着線２４ｂ、２４ｃにより袋部２３を袋状に形成しているが、溶着線２４ａは、図例のように上下に延びるように構成する他、部分的にのみ形成しても良く、後述するように袋部２３に挿入される情報シート１３の端縁を受止めるものであれば良い。また、上下縁の溶着線２４ｂ、２４ｃのうち、上縁の溶着線２４ｂは、特に設けなくても良く、袋部２３の上部を開放するように構成しても良い。
【００１５】
図例の場合、裏シート部１９に印刷表示２６が施されており、例えば、陳列ケース１２に収納すべきソフト記録媒体が新発売されるものであれば、「新作」の文字を表示する。このような印刷表示２６は、表シート部１７と背シート部１８と裏シート部１９の１個所又は複数個所に選択的に施すことができる。
【００１６】
更に、背シート部１８の左右両側（表裏シート部１７、１９との境界線）には位置決めマーカー２７が印刷その他により施されている（図１において仮想線Ｐ１、Ｐ２により境界線を示す）。図例の場合、背シート部１８の上下縁に表示された４個の矢印により位置決めマーカー２７を構成しているが、前記境界線Ｐに沿って延びる罫線により構成しても良い。
【００１７】
このような構成のカバーシート１４は、図２及び図３に示すように、内側面に情報シート１３を重合せしめると共に、袋部２３により保持することができる。情報シート１３の全長寸法ＪＷ（中央部１３ｃと両側翼部１３ｂ、１３ｄを含む全長の寸法）は、カバーシート１４の表シート部１７と背シート部１８と裏シート部１９から構成されたカバー部分の全長寸法ＣＷに対して、ＪＷ≦ＣＷの関係にある。即ち、情報シート１３の大きさは、ソフトメーカーにより一様でなく、全長寸法ＪＷに差を有する２種類が存在している。
【００１８】
全長寸法ＪＷが大とされた情報シート１３に対しては、図２に示すように、袋部２３の底部２４を形成する溶着線２４ａを基端シート部１６と表シート部１７の境界線Ｐ３上に合致する位置に設けている。従って、この場合、ＪＷ＝ＣＷとなるように形成されたカバーシート１４が提供される。そこで、情報シート１３の表側の翼部１３ｂを袋部２３に挿入し、該翼部１３ｂの端縁を袋部２３の底部２４に当接せしめると、情報シート１３の中央部１３ｃに表示された背側表示１０ｃがカバーシート１４の背シート部１８に位置するように自動的に位置決めされる。
【００１９】
これに対して、全長寸法ＪＷが小とされた情報シート１３に関しては、図示省略しているが、袋部２３の底部２４を形成する溶着線２４ａが基端シート部１６と表シート部１７の境界線Ｐ３よりも表シート部１７寄りに位置して設けられている。従って、この場合、ＪＷ＜ＣＷとなるように形成されたカバーシート１４が提供される。即ち、情報シート１３の表側の翼部１３ｂを袋部２３に挿入し、該翼部１３ｂの端縁を袋部２３の底部２４に当接せしめたとき、情報シート１３の中央部１３ｃに表示された背側表示１０ｃがカバーシート１４の背シート部１８の上に自動的に位置決めされるように、底部２４を形成する溶着線２４ａの位置が設定されている。
【００２０】
従って、カバーシート１４は、情報シート１３の寸法に対する関係において、前述のようなＪＷ＝ＣＷとなるように形成されたカバーシート１４と、ＪＷ＜ＣＷとなるように形成されたカバーシート１４との２種類を提供することが好ましい。然しながら、レンタルショップ等において、図例のような袋部２３の溶着線２４ａを境界線Ｐ３上に設けたカバーシート１４の在庫品により、前述のような長さ寸法ＪＷの小さい情報シート１３を保持せしめる必要があるときは、位置決めマーカー２７を利用することにより、情報シート１３の中央部１３ｃに表示された背側表示１０ｃがカバーシート１４の背シート部１８の上に来るように位置決めすることができる。
【００２１】
上記の構成によれば、カバーシート１４の内側面に情報シート１３を重合し保持せしめた状態で、図４に示すように、基端シート部１６を接着手段１５を介して陳列ケース１２の腹壁１２ａに固着した後、情報シート１３と共にカバーシート１４を折曲することにより、表シート部１７、背シート部１８、裏シート部１９をそれぞれ表側壁１２ｂ、背壁１２ｃ、裏側壁１２ｄに重合させ、その後、自由端シート部２０を接着手段２１を介して基端シート部１６に固着すれば良い。これにより、陳列ケース１２の背壁１２ｃと表裏側壁１２ｂ、１２ｄにわたって情報シート１３が添設され、陳列ケース１２を周方向に巻回するカバーシート１４により情報シート１３が被覆される。
【００２２】
図例の場合、基端シート部１６及び自由端シート部２０の幅寸法を陳列ケース１２の腹壁１２ａの幅寸法とほぼ等しく形成しているため、前述のように、自由端シート部２０が基端シート部１６の上に重ねて接着されるように構成されている。然しながら、本発明は、基端シート部１６及び自由端シート部２０の幅寸法を陳列ケース１２の腹壁１２ａの幅寸法よりも狭い幅となるように形成しても良い。即ち、基端シート部１６を腹壁１２ａの幅方向一側部に接着し、自由端シート部２０を腹壁１２ａの幅方向他側部に接着するように構成しても良い。
【００２３】
カバーシート１４は、接着手段２１、１５を剥離することにより、陳列ケース１２から取外し自在であり、従って、損傷したカバーシート１４を自由に交換することができる。
【００２４】
（取付方法の第１例）
図６は、本発明のカバーシート１４により情報シート１３を取付ける方法の第１例を示している。先ず、カバーシート１４は、基端シート部１６を接着手段１５を介して陳列ケース１２の腹壁１２ａに固着される。この際、溶着線２４ａを陳列ケース１２の腹壁１２ａと表側壁１２ｂが交差するコーナーエッジに合わせれば、所定位置に位置決めされる。従って、この状態において、カバーシート１４の表シート部１７、背シート部１８、裏シート部１９、自由端シート部２０は自由な状態に解放されている。そこで、情報シート１３の表側の翼部１３ｂを袋部２３の開口部２５に挿入し、該翼部１３ｂの端縁を袋部２３の底部２４に当接せしめると、情報シート１３は、所定位置に位置決めされる。従って、その後は、情報シート１３とカバーシート１４を相互に、表側の翼部１３ｂと表シート部１７、中央部１３ｃと背シート部１８、裏側の翼部１３ｄと裏シート部１９を重ね合わせた状態で、それぞれ陳列ケース１２の表側壁１２ｂ、背壁１２ｃ、裏側壁１２ｄの表面に沿わせた後、自由端シート部２０を接着手段２１を介して基端シート部１６又は腹壁１２ａに固着すれば良い。
【００２５】
（取付方法の第２例）
図７は、本発明のカバーシート１４により情報シート１３を取付ける方法の第２例を示している。この第２例の場合、陳列ケース１２に固着する前に、カバーシート１４に情報シート１３を重合し保持せしめる。即ち、情報シート１３の表側の翼部１３ｂを袋部２３の開口部２５に挿入し、該翼部１３ｂの端縁を袋部２３の底部２４に当接せしめることにより、情報シート１３とカバーシート１４を相互に所定位置に位置決めする。その後は、カバーシート１４の基端シート部１６を接着手段１５を介して陳列ケース１２の腹壁１２ａに固着した後、前述した第１例と同様の方法を実施すれば良い。或いは、最初に、情報シート１３の中央部１３ｃ及びカバーシート１４の背シート部１８を陳列ケース１２の背壁１２ｃに添設した後、表側の翼部１３ｂ及び表シート部１７と、裏側の翼部１３ｄ及び裏シート部１９を、それぞれ陳列ケース１２の表側壁１２ｂと裏側壁１２ｄに添設せしめ、最後に、腹壁１２ａに対して基端シート部１６及び自由端シート部２０を接着手段１５、２１により固着しても良い。
【００２６】
（カバーシートの第２実施形態）
図８は、カバーシート１４の第２実施形態を示している。この第２実施形態において、袋部２３は、カバーシート１４を構成する１枚のシートないしフィルムを基端シート部１６から延長すると共に、内側に折返すことにより形成されている。従って、折返シート１４ａは、基端シート部１６に重合される第一補助シート２２ａを介して、表シート部１７に重合される第二補助シート２２を有し、第二補助シート２２により袋部２３を形成する。第二補助シート２２は、基端シート部１６と表シート部１７の境界線に位置する溶着線２４ａにより袋部２３の底部２４を形成している。第一補助シート２２ａは、基端シート部１６に対して全面又は複数の溶着線２２ｂを介して溶着されており、該第一補助シート２２ａの内側に接着手段１５を設けている。その他の構成は、上述した第１実施形態と同様である。
【００２７】
【発明の効果】
本発明によれば、カバーシート１４は、接着手段１５、２１を介して、陳列ケース１２に対して着脱自在に構成されており、従って、損傷したカバーシート１４を自由に交換することができるという効果がある。
【００２８】
特に、本発明は、カバーシート１４の表シート部１７に補助シート２２を介して袋部２３を設け、基端シート部１６と表シート部１７の境界線Ｐ３の近傍位置に袋部２３の底部２４を形成すると共に、背シート部１８に向けて袋部２３の開口部２５を設けた構成であるから、情報シート１３の表側の翼部１３ｂを袋部２３の開口部２５に挿入し、該翼部１３ｂの端縁を袋部２３の底部２４に当接せしめるだけで、情報シート１３の中央部１３ｃがカバーシート１４の背シート部１８に位置決めされ、これにより、情報シート１３の中央部１３ｃの背側表示１０ｃを陳列ケース１２の背壁１２ｃに対して位置ずれしないように好適に添設できるという効果がある。そして、陳列ケース１２に情報シート１３及びカバーシート１４を取付けた状態において、情報シート１３は、袋部２３に保持されているので、陳列ケース１２が衝撃等を受けたときでも該陳列ケース１２の表面で移動することはなく、従って、情報シート１３が位置ずれすることにより上下縁をカバーシート１４からはみ出してしまうようなことはないという利点がある。
【図面の簡単な説明】
【図１】本発明の第１実施形態に係るカバーシートを示す斜視図である。
【図２】本発明の第１実施形態に係るカバーシートに情報シートを保持せしめた状態を示す斜視図である。
【図３】本発明の第１実施形態に係るカバーシートに情報シートを重合し保持せしめた状態を示す断面図である。
【図４】本発明の第１実施形態により情報シート及びカバーシートを陳列ケースに取付けた状態を示す断面図である。
【図５】本発明の第１実施形態に係るカバーシートと情報シート及び陳列ケースを示す斜視図である。
【図６】取付方法の第１例を示す説明図である。
【図７】取付方法の第２例を示す説明図である。
【図８】本発明の第２実施形態に係るカバーシートに情報シートを重合し保持せしめた状態を示す断面図である。
【図９】従来技術を示しており、（Ａ）はカバーシートを取外し不能に固着した陳列ケースの陳列状態を示す斜視図、（Ｂ）は該陳列ケースの開放状態を示す斜視図である。
【符号の説明】
１２    陳列ケース
１２ａ  腹壁
１２ｂ  表側壁
１２ｃ  背壁
１２ｄ  裏側壁
１３    情報シート
１３ｂ  表側の翼部
１３ｃ  中央部
１３ｄ  裏側の翼部
１４    カバーシート
１５、２１  接着手段
１６    基端シート部
１７    表シート部
１８    背シート部
１９    裏シート部
２０    自由端シート部
２２    補助シート
２３    袋部
２４    底部
２４ａ  溶着線
２５    開口部
【図１】
0003680060.tif 000002
【図２】
0003680060.tif 000003
【図３】
0003680060.tif 000004
【図４】
0003680060.tif 000005
【図５】
0003680060.tif 000006
【図６】
0003680060.tif 000007
【図７】
0003680060.tif 000008
【図８】
0003680060.tif 000009
【図９】
0003680060.tif 000010